(57)【要約】      （修正有）【課題】ポンプの機能低下や動作漏れの懸念がなく、組み付けも容易な、液体噴出器を提供する。【解決手段】ヘッド3に嵌合保持される筒体6を有し、筒体6から垂下する下端5eを開口させてヘッド3に通じる内部通路rを形成するヘッドシリンダ5と、ヘッドシリンダ5の内側に形成された絞り孔8を開閉可能な弁体部11aを有し弁体部11aの周りに形成された環状のシール部12a,12bによってヘッドシリンダ5の内側に摺動可能に保持される第1ピストンプランジャ11及び第2ピストンプランジャ12とを備えるポンプユニットであって、ヘッドシリンダ5の内周面5fに、その下端5eに形作られる開口部Aの外縁Eを、第2ピストンプランジャ12のシール部先端径φ12aよりも大きく、かつ、ヘッドシリンダ内径φよりも小さく形作ると共に、当該開口部外縁Eからヘッド3に向かって縮径しながら内周面5fに繋がる傾斜面5sを設けた。【選択図】図２
2011235198.tif 000002
【特許請求の範囲】
【請求項１】
容器の口部に固定されるシリンダからの内容液の圧送を生起させ、当該内容液を外界に噴射するヘッドと、当該ヘッドに嵌合保持される筒体を有し、当該筒体から垂下する下端を開口させてヘッドに通じる内部通路を形成するヘッドシリンダと、当該ヘッドシリンダの内側に形成された絞り孔を開閉可能な弁体部を有し当該弁体部の周りに形成された環状のシール部によってヘッドシリンダの内側に摺動可能に保持されるプランジャとを備える液体噴出器であって、
ヘッドシリンダの内周面に、当該ヘッドシリンダの下端に形作られる開口部の外縁を、プランジャのシール部先端径よりも大きく、かつ、ヘッドシリンダの内径よりも小さく形作ると共に、当該開口部の外縁からヘッドに向かって縮径しながらヘッドシリンダの内周面に繋がる傾斜面を設けたことを特徴とする、液体噴出器。
【請求項２】
請求項１において、ヘッドシリンダの内周面に、当該シリンダヘッドの傾斜面に至るまで切り欠かれる少なくとも１つの長溝を設けたことを特徴とする、液体噴出器。
【発明の詳細な説明】
【技術分野】
【０００１】
本発明は、容器からの内容液を外界に圧送するために用いられる液体噴出器に関するものである。
【背景技術】
【０００２】
液体噴出器としては、図４の要部断面図に示すように、容器の口部に固定されるシリンダからの内容液を外界に圧送・噴射するヘッド３に、このヘッド３から垂下する下端２５ｅを開口させてヘッドシリンダ２５とし、このヘッドシリンダ２５の内側に形成された絞り孔２８を開閉可能な弁体部１１ａを有する第１ピストンプランジャ１１の外周に設けた第１ピストンプランジャ１２の環状のシール部１２ａ，１２ｂを形成することによってヘッドシリンダ２５の内側に摺動可能に保持したポンプユニットがある（例えば、特許文献１参照）。
【先行技術文献】
【特許文献】
【０００３】
【特許文献１】特開２０００−２１８１９８号公報
【発明の概要】
【発明が解決しようとする課題】
【０００４】
しかしながら、こうした液体噴出器は、同図に示すように、ヘッドシリンダ２５の下端２５ｅに形成した開口部Ａから第１ピストンプランジャ１１の弁体部１１ａを挿入して組み付けを行う構成上、第２ピストンプランジャ１２に設けたシール部１２ａの先端１２ａ1が、破線に示すようにぶつかって捲れ上がった状態で組み付けられることが考えられる。この場合、ポンプがスムーズに動作しなかったり、液漏れを生じてしまう等、ポンプの機能低下や動作漏れが懸念される。
【０００５】
本発明の目的とするところは、ポンプの機能低下や動作漏れの懸念がなく、組み付けも容易な、新規な液体噴出器を提供することにある。
【課題を解決するための手段】
【０００６】
本発明は、容器の口部に固定されるシリンダからの内容液の圧送を生起させ、当該内容液を外界に噴射するヘッドと、当該ヘッドに嵌合保持される筒体を有し、当該筒体から垂下する下端を開口させてヘッドに通じる内部通路を形成するヘッドシリンダと、当該ヘッドシリンダの内側に形成された絞り孔を開閉可能な弁体部を有し当該弁体部の周りに形成された環状のシール部によってヘッドシリンダの内側に摺動可能に保持されるプランジャとを備える液体噴出器であって、
ヘッドシリンダの内周面に、当該ヘッドシリンダの下端に形作られる開口部の外縁を、プランジャのシール部先端径よりも大きく、かつ、ヘッドシリンダの内径よりも小さく形作ると共に、当該開口部の外縁からヘッドに向かって縮径しながらヘッドシリンダの内周面に繋がる傾斜面を設けたことを特徴とするものである。
【０００７】
本発明によれば、ヘッドシリンダの内周面に、当該シリンダヘッドの傾斜面に至るまで切り欠かれる少なくとも１つの長溝を設けることができる。
【発明の効果】
【０００８】
本発明によれば、ヘッドシリンダの内周面に、当該ヘッドシリンダの下端に形作られる開口部の外縁を、プランジャのシール部先端径よりも大きく、かつ、ヘッドシリンダの内径よりも小さく形作ると共に、当該開口部の外縁からヘッドに向かって縮径しながらヘッドシリンダの内周面に繋がる傾斜面を設けたことで、この傾斜面がプランジャの挿入時においてシール部の先端の案内となることから、当該シール部の先端が引っ掛かることなく組み付けを行うことができる。
【０００９】
従って、本発明によれば、ポンプの機能低下や動作漏れの懸念がなく、組み付けも容易な、新規な液体噴出器を提供することができる。
【００１０】
ところで、こうした液体噴出器の場合、ユニット全体の液漏れの有無を検査すべく、シリンダ側から試験的に空気を送り込むことで、空気漏れの有無を検出することが一般的であるが、ヘッドシリンダとシール部との間での空気漏れが生じていれば、シール部の捲れの有無も併せて検査することができる。
【００１１】
しかしながら、こうしたシール部は、プランジャ軸線方向に間隔を空けて二重に設けることが一般的であるため、一方のシール部（プランジャ先端側に位置するシール部）に捲れが生じても、他方のシール部（シリンダ側に位置にするシール部）でのシール性が確保されていると、空気漏れが生じないため、シール部の捲れを検査できないことがある。
【００１２】
そこで、ヘッドシリンダの内周面に、傾斜面に至るまで切り欠かれる少なくとも１つの長溝を設ければ、一方のシール部に捲れが生じて空気漏れがある場合、その空気は、他方のシール部の先端と当該長溝との間に形成された通路から傾斜面に形成された切り欠き開口部分を通して排出することができる。
【００１３】
従って、ヘッドシリンダの内周面に、当該シリンダヘッドの傾斜面に至るまで切り欠かれる少なくとも１つの長溝を設ければ、万一に備えたシール部の捲れの有無を容易に検査することができる。
【図面の簡単な説明】
【００１４】
【図１】本発明の一形態である、容器用ポンプユニットを一部断面で示す側面図である。
【図２】図１の要部拡大図である。
【図３】(a)〜(c)はそれぞれ、本発明に従う、ヘッドシリンダの上面図、同ヘッドシリンダを一部断面で示す側面図及び底面図である。
【図４】本発明の従来技術である、容器用ポンプユニットを一部分解した状態で示す要部断面図である。
【発明を実施するための形態】
【００１５】
以下、図面を参照して、本発明の一形態を詳細に説明する。
【００１６】
図中、１は、図示せぬボトル形容器の口部上端に載置されるフランジ１ａを有し、その本体１ｂが容器口部の内側を通って垂下するシリンダである。２は、フランジ１ａを固定する肩部２ａを有し、この肩部２ａの内側からシリンダ１の内径よりも大きな内径の補助シリンダ２ｂが一体に起立する装着部材である。装着部材２は、補助シリンダ２ｂの周りが保護カバー２ｃで取り囲まれていると共に、その外側に、ねじ部２ｓを有して容器口部に着脱可能に螺合する筒体２ｄが一体に垂下する。
【００１７】
３は、シリンダ１からの内容液の圧送を生起させ、当該内容液を外界に噴射するヘッドである。ヘッド３の下端には、内部通路を形成する凹部３ａが設けられている。また、ヘッド３には、開孔３ｂを介して凹部３ａに通じ、側面３ｆに開口する環状溝３ｃが形成されている。
【００１８】
４は、環状溝３ｃに嵌合保持されるノズルチップである。ノズルチップ４は、図２に示すように。環状溝３ｃの内側領域に形作られた円筒部３ｄの端面３ｅを覆う隔壁４ａを有し、この隔壁４ａの内面（背面）から後方に向かって延在する筒壁４ｂが一体に設けられている。
【００１９】
隔壁４ａには、同図に示すように、内容液を噴射する貫通孔４ｃを有し、筒壁４ｂが環状溝３ｃに嵌合保持されることで、円筒部３ｄとの間に、凹部３ａにより形作られた導入路ｒ1と開孔３ｂを介して通じる複数の軸線流路ｒ2及びスピン流路ｒ3と、当該スピン流路ｒ3を貫通孔４ｃに通じさせる合流室ｒ4とが形成される。これにより、噴霧ヘッドＨが形成される。
【００２０】
５は、ヘッド３の凹部３ａに嵌合保持される筒体６を有し、この筒体６から垂下する下端を開口させてヘッド３に通じる内部通路ｒ5を形成するヘッドシリンダである。ヘッドシリンダ５は、筒体６と環状壁７を介して一体に繋がり、この環状壁７の外縁から一体に垂下する。また、ヘッドシリンダ５の内側には、環状壁７の内側に、絞り孔８が形成された仕切壁９が一体に設けられている。更に、ヘッドシリンダ５は、その下端部５ａが補助シリンダ２ｂの内周面２ｆに摺動可能に保持されている。
【００２１】
１１は、シリンダ１との間に内容物の液室Ｃ1を形作る第１ピストンプランジャである。第１ピストンプランジャ１１は、仕切壁９に接触することで絞り孔８を開閉可能に封止する弁体部１１ａを有し、その下端に、シリンダ１の本体１ｂの内側に保持される環状のピストン１１ｂが形成されている。また、第１ピストンプランジャ１１は、シリンダ１内に配置されたスペーサ１３の周りに複数のフィン部１３ａを一体に設け、当該フィン部１３ａとの間に配置されたリターンスプリングＳによって弾支されている。これにより、第１ピストンプランジャ１１は、シリンダ１内に押し下げ及びその復元が可能なように弾支されている。
【００２２】
１２は、第１ピストンプランジャ１１の周りに固定される第２ピストンプランジャである。第２ピストンプランジャ１２は、弁体部１１ａを取り囲むように形成された環状のシール部１２ａ及び１２ｂを有し、これらシール部１２ａ及び１２ｂによって、ヘッドシリンダ５の内周面５ｆに摺動可能に保持される。これにより、ヘッドシリンダ５の内側には、第１ピストンプランジャ１１及び第２ピストンプランジャ１２とを一体的に動作させるための液室Ｃ2が形成される。
【００２３】
また、第２ピストンプランジャ１２は、第１ピストンプランジャ１１との間に、液室Ｃ1に通じる連通流路ｒ0が形成されている。これにより、ヘッド３の押し下げに伴い、液室Ｃ1の内容液が第１ピストンプランジャ１１に形成された開孔１１ｂから連通流路ｒ0を通して液室Ｃ2に充填されることで、ヘッドシリンダ５に対して第１ピストンプランジャ１１及び第２ピストンプランジャ１２の押し下げを喚起し、絞り孔８の開放を可能にする。
【００２４】
これに対し、ヘッドシリンダ５の内周面５ｆには、このヘッドシリンダ５の下端５ｅに形作られる開口部Ａの外縁Ｅの径（以下、「開口部外縁径」）φEを、シール部１２ａの先端径φ12a（図４参照）よりも大きく、かつ、ヘッドシリンダ５の内径φ5よりも小さく形作ると共に、図２や図３(b)に示すように、当該開口部Ａの外縁Ｅからヘッド３に向かって縮径しながら内周面５ｆに繋がる傾斜面５ｓが設けられている。
【００２５】
そこで、本形態では、例えば、図２に示すように、ヘッドシリンダ５の径方向軸線に対する、傾斜面５ｓの角度θ1（実線で示す）に着目し、シール部１２ａの先端１２ａ1が引っ掛からないよう、同図に示すように、当該角度θ1を従来の角度θ2（二点鎖線で示す）よりも小さくする。かかる構成によれば、傾斜面５ｓが第２ピストンプランジャ１２の挿入時において、シール部１２ａの先端１２ａ1の案内となることから、当該先端１２ａ1が引っ掛かることなく組み付けを行うことができる。なお、本発明に従えば、ヘッドシリンダ５と第２ピストンプランジャ１２との組み付け以外の、他のパーツの組み付け順序に関しては、特に限定されることなく、様々な順序で組み付けを行うことができる。
【００２６】
従って、本形態によれば、ポンプの機能低下や動作漏れの懸念がなく、組み付けも容易な、新規な容器用ポンプユニットを提供することができる。
【００２７】
ところで、こうした容器用ポンプユニットの場合、ユニット全体の液漏れの有無を検査すべく、シリンダ１側から試験的に空気を送り込むことで、空気漏れの有無を検出することが一般的であるが、ヘッドシリンダ５とシール部１２ａ，１２ｂとの間での空気漏れが生じていれば、シール部１２ａの捲れの有無も併せて検査することができる。
【００２８】
しかしながら、こうしたシール部は、本形態のシール部１２ａ，１２ｂの如く、プランジャ軸線Ｏ方向に間隔を空けて二重に設けることが一般的であるため、一方のシール部（プランジャ先端側に位置するシール部）１２ａに捲れが生じても、他方のシール部（シリンダ側に位置にするシール部）１２ｂでのシール性が確保されていると、空気漏れが生じないため、シール部１２ａ，１２ｂの捲れを検査できないことがある。
【００２９】
そこで、本形態では、ヘッドシリンダ５の内周面５ｆに、プランジャ軸線Ｏに沿って傾斜面５ｓに至るまで切り欠かれる、４つの長溝５ｇを軸線Ｏ周りに間隔を空けて設けている。かかる構成によれば、一方のシール部１２ａに捲れが生じて空気漏れがある場合、その空気は、図２に示すように、他方のシール部１２ｂの先端１２ｂ1と当該長溝５ｇとの間に形成された通路ｒ6から傾斜面５ｓに形成された切り欠き開口部分５ｇa（図３(c)参照）を通して排出することができる。
【００３０】
従って、本形態の如く、ヘッドシリンダ５の内周面５ｆに、当該シリンダヘッド５の傾斜面５ｓに至るまで切り欠かれる少なくとも１つの長溝５ｇを設ければ、万一に備えたシール部１２ａの捲れの有無を容易に検査することができる。
【００３１】
上述したところは、本発明の一形態を示したに過ぎず、特許請求の範囲内において、種々の変更を加えることができる。例えば、本発明に従うヘッドとしては、上述した形態のように、噴霧を目的としたものに限定されるものではなく、内容液を注出できるものであれば、様々な種類のものを採用できる。また、本形態では、チューブ１６を通してシリンダ１に内容液を吸入する際の弁１７として、ボール弁を用いているが、本発明に従えば、これに限定されるものではない。
【産業上の利用可能性】
【００３２】
本発明は、例えば、化粧水、整髪料等の化粧品、虫除け等の医薬品及び、美容・健康用品の分野に係る液体噴出器として採用することができる。
【符号の説明】
【００３３】
１      充填シリンダ
１ａ    フランジ
１ｂ    本体
２      装着部材
２ｂ    補助シリンダ
３      ヘッド
４      ノズルチップ
５      ヘッドシリンダ
５ａ    下端部（環状のシール部）
５ｅ    下端
５ｇ    長溝
５ｇa   長溝切り欠き開口部
５ｓ    傾斜面
５ｆ    内周面
６      筒体
７      摺動部
８      絞り孔
９      仕切壁
１１    第１ピストンプランジャ
１１ａ  弁体部
１１ｂ  環状ピストン
１１ｃ  開孔
１２    第２ピストンプランジャ
１２ａ  環状のシール部
１２ｂ  環状のシール部
１３    スペーサ
１３ａ  フィン
Ａ      ヘッドシリンダの下端開口部
Ｃ1     液室
Ｃ2     液室
Ｅ      開口部外縁
Ｈ      噴霧ヘッド
ｒo     連通流路
φ5      ヘッドシリンダ内径
φ12a     シール部先端径
φE      開口部外縁径
【図１】
2011235198.tif 000003
【図２】
2011235198.tif 000004
【図３】
2011235198.tif 000005
【図４】
2011235198.tif 000006